(57)【要約】【課題】コンテンツの本編以外やユーザが視聴を欲しないコンテンツにて再生を停止し、その後再開する場合、その部分をスキップして再生すること。【解決手段】管理情報記憶部１１は番組情報取得解析部１０からの番組情報と、録画制御部９からの録画開始時刻および終了時刻とを入力して、録画コンテンツ毎に管理情報として記憶し、再生省略区間設定部１８はそれらの管理情報に基づき、録画コンテンツに再生省略区間を設定する。再生制御部１６は録画コンテンツの再生の際、再生省略区間に再生を停止し再開する場合、再生処理部７に、再生省略区間をスキップして当該再生省略区間（当該再生省略区間に連続した他の再生省略区間があればその他の再生省略区間も含む。）が終了した次の再生開始位置より再生を再開させる。【選択図】図１
2009043339.tif 000002
【特許請求の範囲】
【請求項１】
音声または映像の少なくとも何れか一方を含むコンテンツに再生省略区間を設定する再生省略区間設定手段と、
前記コンテンツを再生する再生手段と、
前記再生手段による前記コンテンツの再生が停止した際に、その停止位置を検出する停止位置検出手段と、
前記再生省略区間設定手段によって設定された前記再生省略区間と、前記停止位置検出手段によって検出された前記停止位置とを前記コンテンツ毎に対応させ管理情報として記憶する管理情報記憶手段と、
再生が停止されたコンテンツに対して再生要求が発生した場合、前記管理情報記憶手段に記憶された当該コンテンツの前記管理情報に基づいて前記停止位置が前記再生省略区間にあるか否かを判断し、前記停止位置が前記再生省略区間にない場合は、前記停止位置より再生を再開させる一方、前記停止位置が前記再生省略区間にある場合は、当該再生省略区間をスキップして当該再生省略区間が終了した次の位置より再生を再開するよう前記再生手段を制御する再生制御手段と、
を有するコンテンツ再生装置。
【請求項２】
請求項１記載のコンテンツ再生装置において、さらに、
番組開始直後または終了直前の区間に本編以外の内容が含まれる放送番組を受信する放送番組受信手段と、
受信された前記放送番組を前記コンテンツとして記録媒体に録画する録画手段と、
前記放送番組の番組情報を取得して、前記管理情報として前記管理情報記憶手段に記憶する番組情報取得手段とを有し、
前記再生省略区間設定手段は、
前記管理情報記憶手段に記憶された前記管理情報の前記番組情報に基づいて前記コンテンツに再生省略区間を設定する、コンテンツ再生装置。
【請求項３】
請求項２記載のコンテンツ再生装置において
前記再生省略区間設定手段は、
前記番組情報取得手段が取得した前記番組情報に含まれる前記放送番組の開始時刻および終了時刻と、ＣＭ位置とに基づいて、前記放送番組の開始直後または終了直前に前記再生省略区間を設定する、コンテンツ再生装置。
【請求項４】
請求項２記載のコンテンツ再生装置において
さらに、
前記録画手段の録画を制御すると共に、録画開始時刻および終了時刻を前記管理情報として前記管理情報記憶手段に記憶する録画制御手段を有し、
前記再生省略区間設定手段は、
前記管理情報記憶手段に記憶された前記管理情報の前記番組情報に含まれる前記放送番組の開始時刻および終了時刻と、前記録画開始時刻および終了時刻とに基づいて前記コンテンツに再生省略区間を設定する、コンテンツ再生装置。
【請求項５】
請求項１記載のコンテンツ再生装置において、
前記再生省略区間設定手段は、
前記コンテンツの開始位置または終了位置と、ＣＭ位置とに基づいて、前記コンテンツに前記再生省略区間を設定する、コンテンツ再生装置。
【請求項６】
音声または映像の少なくとも何れか一方を含むコンテンツに再生省略区間を設定するステップと、
前記コンテンツの再生が停止した際に、その停止位置を検出するステップと、
前記再生省略区間と、前記停止位置とを前記コンテンツ毎に対応させ管理情報として記憶するステップと、
再生が停止されたコンテンツに対して再生要求が発生した場合、当該コンテンツの前記管理情報に基づいて前記停止位置が前記再生省略区間にあるか否かを判断し、前記停止位置が前記再生省略区間にない場合は、前記停止位置より再生を再開させる一方、前記停止位置が前記再生省略区間にある場合は、当該再生省略区間をスキップして当該再生省略区間が終了した次の位置より再生を再開するステップと、
を有するコンテンツ再生方法。
【発明の詳細な説明】
【技術分野】
【０００１】
本発明は、コンテンツの再生を終了または停止し、その後に再生を再開する場合に、効率よくコンテンツを再生することができるコンテンツ再生装置および方法に関するものである。
【背景技術】
【０００２】
従来のコンテンツ再生装置として、再生している映像や音楽等のコンテンツを途中で一旦停止し、その後に再開する場合、その停止位置もしくは最初から再開するものがある（例えば、特許文献１，２参照）。
【０００３】
【特許文献１】特開２００２-５６６０３号公報
【特許文献２】特開２００１-３５０６３号公報。
【発明の開示】
【発明が解決しようとする課題】
【０００４】
ところで、最近の映像や音楽等のコンテンツには予告や宣伝等が追加されている場合があり、特に、放送番組やＤＶＤ等のコンテンツの場合は、コンテンツの終わりや最初に予告や宣伝等が本編以外の内容が追加されている場合が殆どである。
【０００５】
しかし、上記特許文献１，２記載の従来技術では、コンテンツの終わりや最初の本編以外の予告や宣伝等のところで再生を終了や停止し、その後に再生を再開する場合、その停止位置である本編以外の内容から再開する場合があり、ユーザにとって煩わしいという、問題がある。
【０００６】
また、コンテンツの本編であっても、再生時間の短いコンテンツや、番組の途中で録画を中止したコンテンツ等のように、ユーザが視聴を欲しないコンテンツ等にて再生を終了や停止し、その後に再生を再開する場合も同様である。
【０００７】
そこで、本発明では、コンテンツの本編以外やユーザが視聴を欲しないコンテンツにて再生を停止し、その後に再開する場合、その部分をスキップして再生することができるコンテンツ再生装置および方法を提供することを目的とする。
【課題を解決するための手段】
【０００８】
上記課題を解決するため、本発明のコンテンツ再生装置および方法では、音声または映像の少なくとも何れか一方を含むコンテンツに再生省略区間を設定しておき、前記コンテンツの再生が停止した際に、その停止位置を検出して、前記再生省略区間と、前記停止位置とを前記コンテンツ毎に対応させ管理情報として記憶し、再生が停止されたコンテンツに対して再生要求が発生した場合、当該コンテンツの前記管理情報に基づいて前記停止位置が前記再生省略区間にあるか否かを判断し、前記停止位置が前記再生省略区間にない場合は、前記停止位置より再生を再開させる一方、前記停止位置が前記再生省略区間にある場合は、当該再生省略区間をスキップして当該再生省略区間が終了した次の位置より再生を再開する。
【発明の効果】
【０００９】
本発明に係るコンテンツ再生装置および方法では、コンテンツの再生を一旦停止した後、その後に再開する場合、コンテンツの停止位置が再生省略区間にない場合は、停止位置より再生を再開する一方、停止位置が再生省略区間にある場合は、再生省略区間をスキップして当該再生省略区間が終了した次の位置より再生を再開するので、ユーザが視聴を一旦停止して再開する場合、ユーザが視聴を欲するコンテンツを的確に再生することが可能となり、コンテンツの再生再開を効率良く実行できる。
【発明を実施するための最良の形態】
【００１０】
以下、本発明に係るコンテンツ再生装置および方法の実施例について説明する。
【実施例１】
【００１１】
図１は、実施例１のコンテンツ再生装置の構成例を示すブロック図である。
【００１２】
実施例１のコンテンツ再生装置は、放送受信部２と、記録媒体４と、リモコンインターフェース（Ｉ／Ｆ）５と、選局切替制御部６と、再生処理部７と、出力インターフェース（Ｉ／Ｆ）８と、録画制御部９と、番組情報取得解析部１０と、管理情報記憶部１１と、録画処理部１２と、再生制御部１６と、停止位置検出部１７と、再生省略区間設定部１８等を有し、リモコン３からの各種指令に基づき、アンテナ１を介して放送番組を受信するように構成されている。
【００１３】
次に、本装置の録画動作を説明する。
【００１４】
図２は、実施例１の録画動作を示すフロー図である。
【００１５】
本装置では、リモコン３や予約録画等より録画要求があると（Ｓ１“Ｙｅｓ”）、録画制御部９は選局チャンネルが録画チャンネルと一致しているか否かを判断し（Ｓ２）、一致しなければ（Ｓ２“Ｎｏ”）、選局切替制御部６に録画チャンネルを選局させる（Ｓ３）。
【００１６】
すると、放送受信部２は、選局切替制御部６による選局要求に従ってアンテナ１を介しその録画チャンネルの放送番組を受信して録画処理部１２へ送り、録画処理部１２は受信番組を記録媒体４に録画する（Ｓ４）。なお、記録媒体４としては、ＨＤＤや、ＭＤ、ＤＶＤ、ＢＤ、フラッシュメモリ等のランダムアクセス可能な記録媒体でも良いし、テープ等でも勿論よい。
【００１７】
また、番組情報取得解析部１０は、外部回線経由または放送信号に重畳された番組放送日時やジャンルなどの番組情報を含んだＥＰＧ（電子番組ガイド）を受信して（Ｓ５）、受信したＥＰＧより各番組のチャンネルや、放送年月日、放送時刻、番組名、ジャンル等の番組情報を抽出して（Ｓ６）、管理情報記憶部１１へ送る。
【００１８】
管理情報記憶部１１は、番組情報取得解析部１０からの番組情報や、録画制御部９からの録画開始時刻および終了時刻を入力して、後述する図４に示すように録画コンテンツ毎に、各番組のチャンネルや、放送年月日、放送時刻、番組名、ジャンル等の番組情報と、録画開始時刻および録画終了時刻等の録画時刻とを対応させて管理情報として記憶する（Ｓ７）。ここで、録画コンテンツとは一の録画ファイルということであり、一の録画コンテンツには、一の番組が録画されている場合と、複数の録画コンテンツが連続して録画されている場合とがあり、実施例１では、前者にて説明する。
【００１９】
そして、管理情報記憶部１１は、録画コンテンツとして記録している録画番組が変わった場合（Ｓ８“Ｙｅｓ”）、その変わった録画番組の管理情報を追加記憶し（Ｓ９）、録画停止要求があるまで（Ｓ１０“Ｎｏ”）、上記ステップＳ４未満の処理を行う。なお、録画停止要求があるまで録画される録画コンテンツは、記録媒体４にファイルで記録されるので、一つの録画コンテンツとして取り扱う。
【００２０】
そして、リモコン３あるいは予約録画の終了時刻に基づき録画停止要求が入力されると、録画制御部９は再生省略区間設定部１８に指示を出すので、再生省略区間設定部１８は、管理情報記憶部１１に記憶された管理情報を参照して録画コンテンツに再生省略区間を設定させ（Ｓ１１）、その後、録画処理部１２に対し指示を出して録画処理を停止ないしは終了する（Ｓ１２）。
【００２１】
図３は、図２におけるＳ１１の再生省略区間設定処理を示すフロー図である。
【００２２】
まず、再生省略区間設定部１８は、管理情報記憶部１１に記憶された管理情報を参照して録画コンテンツ内の番組を検出すると共に（Ｓ２１）、当該番組の管理情報に含まれるチャンネル情報や、ジャンル情報、番組長情報等の番組情報を取得する（Ｓ２２）。そして、これらの番組情報から録画コンテンツ内の番組の再生省略区間を確認し（Ｓ２３）、再生省略区間を検出した場合（Ｓ２４“Ｙｅｓ”）、検出した再生省略区間を管理情報記憶部１１に記憶された管理情報に追加登録して（Ｓ２５）、終了する。
【００２３】
図４は、実施例１における管理情報等の一例を示す図である。
【００２４】
ここでは、図４に示すように、ＥＰＧ１９にチャンネルＣＨ１で放送されるジャンルＩ〜IIIのPro１，２，３の放送番組の番組情報が掲載されており、これらを一例として３つの録画タイプＡ，Ｂ，Ｃの録画コンテンツの管理情報について説明する。
【００２５】
ｔ０〜ｔ６は放送時刻２０を示し、且つ、この放送時刻２０は記録媒体上での記録位置と対応するものである。そして、チャンネルＣＨ１の放送番組２１においては、ジャンルＩの番組Pro１は時刻ｔ０〜ｔ２に放送され、ジャンルIIの番組Pro２は時刻ｔ２〜ｔ４に放送され、ジャンルIIIの番組Pro３は時刻ｔ４〜ｔ６に放送される。
【００２６】
録画タイプＡ２２の録画コンテンツは、時刻ｔ２〜ｔ４の区間で録画を行う場合で、一の番組Pro２の番組開始時刻から終了時刻までの番組全てが録画される。この場合、番組Pro２のチャンネル、放送年月日、放送時刻、番組名、ジャンル等の番組情報と、録画時刻と、再生省略区間と、停止位置とが設定された録画タイプＡの管理情報２５が管理情報記憶部１１に記憶される。なお、停止位置は、未再生の場合、初期値として録画コンテンツの録画開始時刻が設定される一方、一旦再生後、再生を停止や中止、終了した場合には、その再生が停止や中止、終了した時刻が記録されることになる。
【００２７】
録画タイプＢ２３の録画コンテンツは、時刻ｔ３〜ｔ６の区間で録画を行う場合で、例えば、一の番組Pro２の途中から録画を開始し、次の番組Pro３の終了時刻まで録画される。この場合、番組Pro２，３の番組情報と、録画時刻と、再生省略区間と、停止位置とが設定された録画タイプＢの管理情報２６が管理情報記憶部１１に記憶される。
【００２８】
録画タイプＣ２４の録画コンテンツは、時刻ｔ１〜ｔ５の区間で録画を行う場合で、例えば、一の番組Pro１の途中から録画を開始し、次の番組Pro２を全て録画し、その次の番組Pro３を途中まで録画する場合である。この場合、番組Pro１，２，３の番組情報と、録画時刻と、再生省略区間と、停止位置とが設定された録画タイプＣの管理情報２７が管理情報記憶部１１に記憶される。
【００２９】
なお、ここでは、３つの録画タイプにより説明しているが、録画のタイプはそれ以外でも勿論良く、例えば、番組の途中から始めてその番組の途中で終了するといった場合や、途中から始めて次の番組の途中まで録画して終了する場合とか、番組開始時刻から始めてその番組の途中で終了する場合などその他の録画タイプでも良い。かかる場合も、上述の図３と同様に管理情報記憶部１１で記憶する。また、この実施例１では、管理情報に含まれる録画時刻（録画開始時刻〜終了時刻）は使用しない。
【００３０】
次に、実施例１における再生省略区間設定例を説明する。
【００３１】
図５は、実施例１における再生省略区間設定例を示す図である。
【００３２】
実施例１の再生省略区間設定部１８は、録画コンテンツの開始直後のT-OPEN区間および終了直前のT-END区間に、番組本編以外のＣＭや番組次回予告、番組前回内容（図示せず）などの番組本編以外の区間があるので、これらの開始直後のT-OPEN区間および終了直前のT-END区間を、再生省略区間として設定する。
【００３３】
つまり、図５に示す再生省略区間設定例では、録画コンテンツ内の一の番組が番組開始時刻ｔ１１から番組終了時刻ｔ１５までのT-Total区間だけ録画されている場合に、録画開始時刻ｔ１１から番組本編が始まるｔ１２までのＣＭ０等が録画されているT-OPEN区間と、番組本編の内容が終了し、ＣＭ３、番組次回予告、ＣＭ４等が含まれる時刻ｔ１４以降のT-END区間とを再生省略区間として設定している。
【００３４】
ここで、番組開始直後のT-OPEN区間および終了直前のT-END区間は、番組情報の放送時刻情報に含まれる番組開始時刻や番組終了時刻と、アナログ/ステレオ音声等の変化検出によるＣＭ区間検出と、３分、５分等の所定長さとにより決定される。なお、番組情報中にＣＭ区間を示すＣＭ区間情報が含まれている場合には、アナログ/ステレオ音声等の変化検出の代わりにＣＭ区間検出に使用するようにしても良い。
【００３５】
また、番組開始直後および終了直前の３分、５分等の所定長さは、録画コンテンツの全体の長さT-Totalに対するそれぞれ特定の割合を定めるなどして設定しても良いし、そのT-Total時間に対する特定の割合は、録画されている番組のジャンルやT-Total時間の長さによって異なる値を用いることで、各録画コンテンツに対して的確に、すなわち番組開始直後および終了直前に放送されるＣＭや、番組の次回予告、前回内容等の番組本編以外が含まれるように再生省略区間を設定する。なお、再生省略区間内、特に、T-END区間内には多少番組本編が含まれても良い。これは、再生省略区間内で再生が一旦停止し再開する場合に、その再生省略区間がスキップされるに過ぎないからである。
【００３６】
また、これらT-OPEN区間、T-END区間は、番組開始直前または終了直前のＣＭ検出区間T-CHK１,２に依存して少なくもこの範囲内にするようにしても良い。ＣＭ検出区間T-CHK１,２の長さは、録画コンテンツの全体の長さT-Totalに対するそれぞれ特定の割合を定めたり、そのT-Total時間に対するその特定の割合は録画されている番組のジャンルやT-Total時間の長さによって異なる値を用いることで、各録画コンテンツに対して的確に再生省略区間を設定するようにしても良い。
【００３７】
更に、録画コンテンツのチャンネルの性質を考慮した設定をすることでも録画コンテンツごとの設定を最適化することができる。これは、例えば、ＣＭ放送を取り入れていないようなチャンネルで番組枠一杯近くまで本編を放送する形態で各番組を放送するチャンネルでは、ＣＭなどを番組間に挿入するチャンネルに比べ、その設定区間の占める割合を小さくする方が適しているからである。また、同じシリーズでユーザが頻繁に見るような番組などは、この設定割合を番組毎に設定できるようにすることで、ユーザがより最適に再生省略区間を設定するようにしても良い。
【００３８】
次に、本装置の再生動作を説明する。
【００３９】
図６は、実施例１の再生動作を示すフロー図である。
【００４０】
まず、ユーザ操作によりリモコン３等により再生要求があると（Ｓ４１“Ｙｅｓ”）、その再生要求をリモコンＩ／Ｆ５を介して再生制御部１６が受取り、まずは再生の対象となる録画コンテンツを特定する（Ｓ４２）。
【００４１】
次に、再生制御部１６は、管理情報記憶部１１より再生対象の録画コンテンツの管理情報（図４参照）から再生省略区間を取得し（Ｓ４３）、続いて停止位置を取得して（Ｓ４４）、その停止位置が再生省略区間内にあるか否かを判断する（Ｓ４５）。ここで、停止位置が再生省略区間内にある場合のみ（Ｓ４５“Ｙｅｓ”）、当該再生省略区間、および当該再生省略区間に連続する他の再生省略区間があれば、その他の再生省略区間もスキップして（Ｓ４６）、再生停止要求（再生終了要求も含む）があるまで（Ｓ４８“Ｎｏ”）、あるいは録画コンテンツが終了するまで（Ｓ４９“Ｎｏ”）、再生処理部７に再生処理を行わせる（Ｓ４７）。再生処理部７の再生出力は出力Ｉ／Ｆ８を介して映像表示部、録画装置などに供給される。
【００４２】
ここで、その再生処理の際、再生停止（再生終了要求も含む。）があった場合（Ｓ４８“Ｙｅｓ”）、および録画コンテンツが終了した場合（Ｓ４９“Ｙｅｓ”）、停止位置検出部１７は、その再生停止または再生終了位置を検出し（Ｓ５０）、その再生停止または再生終了位置を管理情報に停止位置情報として登録して（Ｓ５１）、ステップＳ４１の再生要求待ち状態に戻る。
【００４３】
図７は、実施例１における再生再開イメージを示す図である。
【００４４】
つまり、図７においては、まず最初の再生要求があると、「最初の再生」に示すように、時刻ｔ３６〜ｔ４０で録画された番組REC-Pro６と、時刻ｔ４０〜ｔ４１で引き続き録画された番組REC-Pro７の二つの番組が含まれる録画コンテンツを最初の停止位置と対応する時刻ｔ３６から再生する。そして、例えば、その再生中、時刻ｔ３７にて停止要求があった場合、停止位置と対応する時刻をｔ３７に設定して再生を停止する。
【００４５】
次に再生要求があると、「次の再生」に示すように、停止位置と対応する時刻ｔ３７が再生省略区間内にないので、その位置から再生を再開する。そして、その再生中、時刻ｔ３９と対応する位置にて停止要求があると、停止位置と対応する時刻をｔ３９に設定して再生を停止する。
【００４６】
そして、再度、同じ録画コンテンツに対し再生要求が発生すると、時刻ｔ３９に設定されている停止位置が再生省略区間（ｔ３８〜ｔ４０）内にあることから、「次々の再生１」に示すように、当該再生省略区間（ｔ３８〜ｔ４０）をスキップした同一録画コンテンツ内の再生省略区間以降の次番組REC-Pro７の開始位置である時刻ｔ４０から再生を再開する。
【００４７】
また、「次々の再生例２」の場合では、当該再生省略区間（ｔ３８〜ｔ４０）をスキップして次の番組REC-Pro７から再生を再開しようとしたところ、次の番組REC-Pro７自体がそもそも録画されていなかったり、あるいは削除されていたり、さらには後述する実施例２に示すように録画時間が所定時間より短い等により再生省略区間として設定され、次々の再生候補を別の録画コンテンツ（REC-Pro８）のその再生開始位置と対応する時刻（ｔ４２）から再生を開始する場合を示している。
【００４８】
このように、本実施例１によれば、録画コンテンツに再生省略区間を設定してコンテンツを再生し、その再生を一旦停止した後、再開する際、その停止位置が再生省略区間にない場合は、停止位置より再生を再開する一方、その停止位置が再生省略区間にある場合は、再生省略区間をスキップして当該再生省略区間（当該再生省略区間に連続した他の再生省略区間があれば、その他の再生省略区間も含む）が終了した次の再生開始位置より再生を再開するので、ユーザが録画コンテンツの開始直後や終了直前に含まれる次回予告や前回内容の区間、ＣＭ区間等で停止した場合、それらの区間を再生省略区間としてスキップすることができるので、一旦再生を停止した録画コンテンツの再開を効率良く実行できる。
【００４９】
なお、実施例１では、図３に示すように、管理情報として管理情報記憶部１１に記憶された番組情報に基づいて再生省略区間を設定するように説明したが、本発明では、これに限らず、例えば、図８に示すように、番組情報を用いずに、Ｓ２６にて当該番組の管理情報に含まれる録画開始時刻および終了時刻等の録画コンテンツの開始位置または終了位置と、ＣＭ位置等とに基づいて録画コンテンツの開始直前または終了直後の番組予告やＣＭ区間等を想定して、録画コンテンツの開始直前または終了直後の少なくとも一方に再生省略区間を設定するようにしても勿論よい。この場合、管理情報として番組情報は使用せず、不要となる。
【実施例２】
【００５０】
上記実施例１では、一の録画コンテンツに一の番組しか含まれていないことを前提として説明したが、一の録画コンテンツに複数の番組が録画されている場合があり、必ずしも全ての番組をユーザが視聴を欲していないケースがある。そこで、実施例２以降では、一の録画コンテンツに複数の番組が含まれている場合について説明する。なお、装置の構成自体は、図１に示す実施例１のものと変わらないので、図１に示す構成を参照して説明する。
【００５１】
図９は、実施例２における再生省略区間設定処理を示すフロー図である。
【００５２】
まず、実施例２の再生省略区間設定部１８は、まず、管理情報記憶部１１に記憶された管理情報（図４参照）を参照して録画コンテンツ内の番組を検出し（Ｓ６１）、複数番組が録画されているか否かを判断すると共に（Ｓ６２）、複数番組が録画されていると判断した場合（Ｓ６２“Ｙｅｓ”）、さらに番組途中から録画した番組があるか否かを判断する（Ｓ６３）。なお、番組途中から録画した番組があるか否かは、番組情報に含まれる番組開始時刻および終了時刻等と、録画コンテンツの録画開始時刻および終了時刻とから判断する。
【００５３】
ここで、録画コンテンツ内に複数番組が録画されていないと判断した場合（Ｓ６２“Ｎｏ”）、および複数番組が録画されていると判断し（Ｓ６２“Ｙｅｓ”）、かつ、番組途中から録画した番組がないと判断した場合（Ｓ６３“Ｎｏ”）、実施例２の再生省略区間設定部１８は、上記実施例１と同様に、Ｓ６４〜Ｓ６７の処理を行う。なお、Ｓ６４〜Ｓ６７の処理は、図３におけるＳ２２〜Ｓ２５の処理と同じである。
【００５４】
これに対し、録画コンテンツ内に複数番組が録画されていると判断し（Ｓ６２“Ｙｅｓ”）、かつ、番組途中から録画した番組があると判断した場合（Ｓ６３“Ｙｅｓ”）、実施例２の再生省略区間設定部１８は、番組途中から録画された部分録画番組に対し実施例２特有の再生省略区間の設定処理を行う（Ｓ６８）。
【００５５】
図１０は、図９のＳ６８に示す実施例２特有の再生省略区間の設定処理を示すフロー図である。
【００５６】
この場合、実施例２の再生省略区間設定部１８は、まず、管理情報記憶部１１に記憶された管理情報を参照して録画コンテンツ内の各番組の番組開始・終了時刻を取得すると共に（Ｓ７１）、録画コンテンツの録画開始時刻および終了時刻を取得する（Ｓ７２）。
【００５７】
次いで、再生省略区間設定部１８は、取得した番組開始時刻および終了時刻と、録画コンテンツの録画開始時刻および終了時刻とに基づいて、録画コンテンツ自体の録画時間等である特定時間に対する各番組の録画時間の後述する割合を求め（Ｓ７３）、その割合が所定値未満であるか否かを判断する（Ｓ７４）。
【００５８】
そして、特定時間に対する各番組の録画時間の後述する割合が所定値未満である場合（Ｓ７４“Ｙｅｓ”）、再生省略区間設定部１８は、当該番組を再生省略区間として設定する（Ｓ７５）。
【００５９】
図１１は、実施例２における再生省略区間設定例を示す図である。
【００６０】
図１１に示す録画コンテンツは、番組１を途中の時刻ｔ１６から録画を開始し、続く番組２を番組開始時刻ｔ１７から放送終了時刻ｔ１８までの番組全て録画し、その後の番組３を途中の時刻ｔ１９で録画を終了したものである。
【００６１】
そのため、実施例２の再生省略区間設定部１８では、例えば、特定時間である録画コンテンツの録画時間に対する時刻ｔ１６〜ｔ１７に録画された番組１の割合（T-HEAD/T-Total）や、そのコンテンツ録画時間に対する番組３の割合（T-HEAD/T-Total）が特定の割合、例えば１０％未満であるような場合に、番組１や番組３の録画時間（T-HEAD、T-TALL）の区間を再生省略区間として設定する。尚、ここでは、特定時間を録画コンテンツの録画時間（T-Total）に対する割合としているが、録画コンテンツ内で番組全体が録画されている番組２の録画時間T-Pro２に設定するようにしても良いし、また、特定時間を各番組の放送時間としても良い。また、番組情報より各番組のジャンルが分かるので、各番組のジャンル毎に異なる時間、例えば、映画であれば２時間、ドラマであれば１時間等と固定値を設定するようにしても良い。このことは、未満でも同様である。
【００６２】
そして、実施例１と同様に、録画コンテンツの再生の際、再生制御部１１は、かかる再生省略区間にて再生を停止して再生を再開する場合、かかる再生省略区間をスキップして再生する。
【００６３】
従って、実施例２によれば、一の録画コンテンツに複数の録画時間が異なる番組が含まれており、録画コンテンツの録画時間等の特定時間に対する録画時間の割合が所定値未満の番組を再生省略区間として設定し、かかる再生省略区間にて再生を一旦停止し再開する場合、かかる再生省略区間をスキップすることができるので、一旦再生を停止した録画コンテンツの再開を効率良く実行できる。
【００６４】
なお、実施例２では、図９に示すように、録画コンテンツ内に複数番組が録画されていると判断し（Ｓ６２“Ｙｅｓ”）、かつ、番組途中から録画した番組があると判断した場合（Ｓ６３“Ｙｅｓ”）に、実施例２特有の再生省略区間の設定処理（Ｓ６８）を行うように説明したが、本発明では、これに限らず、図１２に示すように、図９のＳ６３の処理を省略して、録画コンテンツ内に複数番組が録画されていると判断した場合（Ｓ６２“Ｙｅｓ”）、番組途中から録画した番組があるか否かにかかわらず、実施例２特有の再生省略区間の設定処理（Ｓ６８）を行うようにしても勿論よい。なお、このことは、以下に説明する他の実施例３，４でも同様である。
【実施例３】
【００６５】
実施例３は、一の録画コンテンツに複数の番組が含まれている場合についての一例であり、実施例２とは再生省略区間の設定だけが異なり、部分録画された録画番組を再生省略区間に設定する例である。
【００６６】
図１３は、実施例３特有の再生省略区間設定処理を示すフロー図である。
【００６７】
図１３において、実施例３の再生省略区間設定部１８は、まず、管理情報記憶部１１に記憶された管理情報を参照して録画コンテンツ内の各番組の番組開始・終了時刻を取得すると共に（Ｓ８１）、録画コンテンツの録画開始時刻および終了時刻を取得する（Ｓ８２）。
【００６８】
ついで、再生省略区間設定部１８は、取得した番組開始時刻および終了時刻と、録画コンテンツの録画開始時刻および終了時刻とに基づいて、録画コンテンツに含まれる各番組がその放送時間の一部だけ録画されたものか、あるいは番組開始から終了まで全て録画されたものかを判断する（Ｓ８３）。
【００６９】
そして、各番組がその放送時間の一部だけ録画されたものである場合（Ｓ８３“Ｙｅｓ”）、再生省略区間設定部１８は、当該番組を再生省略区間として登録する（Ｓ８４）。
【００７０】
図１４は、実施例３における再生省略区間設定例を示す図である。
【００７１】
図１４に示す録画コンテンツは、番組４が番組開始〜放送終了までの番組全てを録画し、続く番組５を途中の時刻ｔ２２−１で録画を終了したものであり、録画コンテンツ内に二つの番組４と番組５とが録画されており、番組４のみが全てが録画されている。
【００７２】
そのため、実施例３の再生省略区間設定部１８は、部分録画番組である番組５のみを再生省略区間として設定する。ここで、単に部分録画番組を一律に再生省略区間として設定するだけでなく、T-TotalやT-HEADの特定時間や、その番組５の放送時間（T-Pro5）に対するその録画時間（T-TALL）の割合が所定値未満の場合に、部分録画番組を再生省略区間として設定するようにしても勿論よい。
【００７３】
従って、実施例３によれば、一の録画コンテンツに複数の番組が含まれている場合、その放送時間の一部だけ録画された番組を再生省略区間として設定するので、かかる再生省略区間にて再生を一旦停止し再開する場合、かかる再生省略区間をスキップすることができるので、一旦再生を停止した録画コンテンツの再開を効率良く実行できる。
【実施例４】
【００７４】
実施例４は、一の録画コンテンツに複数の番組が含まれている場合についての一例であり、実施例２，３とは再生省略区間の設定だけが異なり、番組の録画時間の比較により再生省略区間を設定する例である。
【００７５】
図１５は、実施例４特有の再生省略区間設定処理を示すフロー図である。
【００７６】
実施例４では、再生省略区間設定部１８が、まず、管理情報記憶部１１に記憶された管理情報を参照して録画コンテンツ内の各番組の番組開始・終了時刻を取得すると共に（Ｓ９１）、録画コンテンツの録画開始時刻および終了時刻を取得する（Ｓ９２）。
【００７７】
次いで、再生省略区間設定部１８は、取得した番組開始時刻および終了時刻と、録画コンテンツの録画開始時刻および終了時刻とに基づいて各番組の録画時間を求め比較し（Ｓ９３）、次いで録画時間が最大のもの以外の番組があるか否かを判断する（Ｓ９４）。
【００７８】
ここで、録画時間が最大のもの以外の番組があった場合（Ｓ９４“Ｙｅｓ”）、その録画コンテンツ内では重要度が低い番組と考えられるので、再生省略区間設定部１８は、当該番組を再生省略区間として登録する（Ｓ９５）。ここで、録画時間が最小の番組があるか否かを判断して、録画時間が最小の番組のみを再生省略区間として設定するようにしても勿論よい。
【００７９】
図１６は、実施例４特有の再生省略区間設定例を示す図である。
【００８０】
図１６に示す録画コンテンツは、番組６をその途中の時刻ｔ２３から録画を開始し、続く番組７もその途中の時刻ｔ２６で録画を終了したものである。
【００８１】
この図１６に示す再生省略区間設定例では、録画コンテンツ内に２つの番組６と番組７とが録画されており、どちらも各番組の部分録画である。
【００８２】
そのため、実施例４の再生省略区間設定部１８は、何れの番組をユーザが本来視聴しようと考えて録画したかを判断するために、管理情報記憶部１１に記憶された各番組の番組情報の番組開始時刻および終了時刻と、録画コンテンツの録画開始時刻および終了時刻とを参照し、それぞれの録画時間（T-HEAD、T-TALL）を比較し、短い区間（T-TALL）の番組６の方を再生省略区間として設定する。なお、短い区間で且つ録画時間全体（T-Total）または最長番組録画時間（この例ではT-HEAD）の長さに対する割合が１０％等の所定値未満である場合に再生省略区間として設定するようにしても良い。
【００８３】
従って、実施例４によれば、一の録画コンテンツに複数の録画時間が異なる番組が含まれており、録画時間の大小に応じ番組を再生省略区間として設定し、かかる再生省略区間にて再生を一旦停止し再開する場合、かかる再生省略区間をスキップすることができるので、一旦再生を停止した録画コンテンツの再開を効率良く実行できる。
【００８４】
なお、上記実施例２〜４でも、実施例１の再生省略区間設定例と同様に、番組情報やＣＭの位置を利用して、各番組毎に開始直後または終了直前の次回予告や、前回内容、ＣＭ区間等を再生省略区間として設定するようにしても勿論よい。例えば、図１６に示す実施例４の場合であれば、番組７録画終了直前の時刻ｔ２５−ｔ２６を再生省略区間T-END0として設定したり、図示はしていないが番組７の放送終了直前の区間を再生省略区間として設定するようにしても良い。これと同様に、録画番組６が番組録画時間などの関係から再生省略区間として扱われないような場合、同様に、録画番組６の番組開始時刻から始まる特定の区間や、番組６放送終了直前の区間を再生省略区間として設定するようにしても勿論よい。なお、このことは、上記他の実施例２、３でも同様である。
【００８５】
なお、上記各実施例１〜４の説明では、コンテンツとして放送番組を受信して録画した録画コンテンツを一例に説明したが、本発明では、これに限らず、音楽等のコンテンツや、ＤＶＤ等の映画コンテンツに対し適用するようにしても勿論よいし、また本装置以外で録画コンテンツを録画したＨＤＤや管理情報記憶部等の記録媒体を本装置に装着した場合にも適用される。この場合、録画処理部１２は省略することができる。
【図面の簡単な説明】
【００８６】
【図１】実施例１のコンテンツ再生装置の構成例を示すブロック図である。
【図２】実施例１の録画動作を示すフロー図である。
【図３】図２におけるＳ１１の再生省略区間設定処理を示すフロー図である。
【図４】実施例１における管理情報等の一例を示す図である。
【図５】実施例１における再生省略区間設定例を示す図である。
【図６】実施例１の再生動作を示すフロー図である。
【図７】実施例１における再生再開イメージを示す図である。
【図８】図２におけるＳ１１の再生省略区間設定処理の他の例を示すフロー図である。
【図９】実施例２における再生省略区間設定処理を示すフロー図である。
【図１０】図９のＳ６８に示す実施例２特有の再生省略区間の設定処理を示すフロー図である。
【図１１】実施例２における再生省略区間設定例を示す図である。
【図１２】実施例２における他の再生省略区間設定例を示す図である。
【図１３】実施例３特有の再生省略区間設定処理を示すフロー図である。
【図１４】実施例３における再生省略区間設定例を示す図である。
【図１５】実施例４特有の再生省略区間設定処理を示すフロー図である。
【図１６】実施例４特有の再生省略区間設定例を示す図である。
【符号の説明】
【００８７】
２…放送受信部（放送受信手段）、４…記録媒体、７…再生処理部（再生手段）、１０…番組情報取得解析部（番組情報取得手段）、１１…管理情報記憶部（管理情報記憶手段）、１２…録画処理部（録画手段）、１６…再生制御部（再生制御手段）、１７…停止位置検出部（停止位置検出手段）、１８…再生省略区間設定部（再生省略区間設定手段）。
【図１】
2009043339.tif 000003
【図２】
2009043339.tif 000004
【図３】
2009043339.tif 000005
【図４】
2009043339.tif 000006
【図５】
2009043339.tif 000007
【図６】
2009043339.tif 000008
【図７】
2009043339.tif 000009
【図８】
2009043339.tif 000010
【図９】
2009043339.tif 000011
【図１０】
2009043339.tif 000012
【図１１】
2009043339.tif 000013
【図１２】
2009043339.tif 000014
【図１３】
2009043339.tif 000015
【図１４】
2009043339.tif 000016
【図１５】
2009043339.tif 000017
【図１６】
2009043339.tif 000018